(57)【要約】      （修正有）【課題】使用者が、直感的に操作部における操作方向を認識することができ、かつ操作し易い入力装置の提供。【解決手段】使用者の頭部に固定する頭部固定部８と、前記頭部固定部の右側及び左側の少なくとも一方に配置され、ジョグダイヤル２６と十字ボタン２４とを具備した操作部２２と、ＬＣＤ１６、反射鏡１８および接眼レンズ２０とからなる表示装置で構成されるヘッドマウントディスプレイ装置において、画面の前記操作部の位置する側に前記操作部を示す画像に対して、パースをつけた説明図を含む映像を常に表示して入力を補助する。【選択図】図１
2012068777.tif 000002
【特許請求の範囲】
【請求項１】
使用者の頭部に固定する頭部固定部と、
前記頭部固定部の右側及び左側の少なくとも一方に配置された操作部と、
画面の前記操作部の位置する側に前記操作部を示す画像に対してパースをつけた説明図を含む映像を生成する映像生成部と
を備えることを特徴とする入力装置。
【請求項２】
前記映像生成部は、前記操作部を用いて入力した入力情報を示す領域に対してパースをつけた文字入力エリアを含む映像を生成することを特徴とする請求項１記載の入力装置。
【請求項３】
前記映像生成部は、前記画面の外側に傾けた状態の前記パースをつけることを特徴とする請求項１または２記載の入力装置。
【請求項４】
前記映像生成部は、前記画面の内側に傾けた状態の前記パースをつけることを特徴とする請求項１または２記載の入力装置。
【請求項５】
前記映像生成部は、前記操作部の前記頭部固定部に対する位置に応じて前記映像における前記説明図の配置位置を決定することを特徴とする請求項１〜４の何れか一項に記載の入力装置。
【請求項６】
前記説明図は、頭部のイメージを示す頭部画像を含むことを特徴とする請求項１〜５の何れか一項に記載の入力装置。
【請求項７】
前記頭部画像は、前記頭部を外側から視た画像であることを特徴とする請求項６記載の入力装置。
【請求項８】
前記頭部画像は、前記頭部を内側から見た透視図であることを特徴とする請求項６記載の入力装置。
【請求項９】
前記操作部に対する接近を検出する接近パネルまたは前記操作部に対する接触を検出するタッチセンサを備え、
前記映像生成部は、前記接近パネルまたは前記タッチセンサによる検出に基づいて前記説明図に前記パースをつけることを特徴とする請求項１〜８の何れか一項に記載の入力装置。
【請求項１０】
前記映像生成部は、前記使用者の熟練度に応じて前記映像における前記説明図の占める割合を減少させることを特徴とする請求項１〜９の何れか一項に記載の入力装置。
【請求項１１】
前記熟練度は、前記操作部における入力回数及び入力速度の少なくとも一方に基づいて算出することを特徴とする請求項１０記載の入力装置。
【請求項１２】
前記使用者の少なくとも片眼に前記映像を入力する表示部を備えることを特徴とする請求項１〜１１の何れか一項に記載の入力装置。
【発明の詳細な説明】
【技術分野】
【０００１】
本発明は、入力装置に関するものである。
【背景技術】
【０００２】
操作スイッチをヘッドホンに配置したヘッドマウントディスプレイ（以下、ＨＭＤという。）が知られている（例えば、特許文献１参照）。このＨＭＤにおいては、ヘッドホンの後側に操作部を配置することにより表示画面上の左右方向と操作部における左右方向とを一致させている。
【先行技術文献】
【特許文献】
【０００３】
【特許文献１】特開２００８−３５２０６号公報
【発明の概要】
【発明が解決しようとする課題】
【０００４】
しかし、このＨＭＤにおいては、操作部をヘッドホンの後側に配置しているため、ヘッドホンに所定の厚みが必要となり、仮に操作部を小さくした場合には使用者が操作し難くなるという問題がある。
【０００５】
本発明の目的は、使用者が直感的に操作部における操作方向を認識することができ、操作し易い入力装置を提供することである。
【課題を解決するための手段】
【０００６】
本発明に係る入力装置によれば、使用者の頭部に固定する頭部固定部と、前記頭部固定部の右側及び左側の少なくとも一方に配置された操作部と、画面の前記操作部の位置する側に前記操作部を示す画像に対してパースをつけた説明図を含む映像を生成する映像生成部とを備えることを特徴とする。
【発明の効果】
【０００７】
本発明によれば、使用者が直感的に操作部における操作方向を認識することができ、操作し易い入力装置を提供することができる。
【図面の簡単な説明】
【０００８】
【図１】本発明の第１の実施の形態に係るＨＭＤの外観を示す斜視図である。
【図２】本発明の第１の実施の形態に係るＨＭＤのシステム構成を示すブロック図である。
【図３】本発明の第１の実施の形態に係るＨＭＤの操作部と使用者との位置関係を示す図である。
【図４】本発明の第１の実施の形態に係るＨＭＤの文字入力画面を示す図である。
【図５】本発明の第１の実施の形態に係るＨＭＤの文字入力画面を示す図である。
【図６】本発明の第１の実施の形態に係るＨＭＤの文字入力画面を示す図である。
【図７】本発明の第１の実施の形態に係るＨＭＤの文字入力画面を示す図である。
【図８】本発明の第１の実施の形態に係るＨＭＤの文字入力画面を示す図である。
【図９】本発明の第１の実施の形態に係るＨＭＤの操作部と使用者との位置関係を示す図である。
【図１０】本発明の第１の実施の形態に係るＨＭＤの文字入力画面を示す図である。
【図１１】本発明の第２の実施の形態に係るＨＭＤの文字入力画面を示す図である。
【図１２】本発明の第２の実施の形態に係るＨＭＤの文字入力画面を示す図である。
【図１３】本発明の第２の実施の形態に係るＨＭＤの文字入力画面を示す図である。
【図１４】本発明の第２の実施の形態に係るＨＭＤの文字入力画面を示す図である。
【図１５】本発明の第３の実施の形態に係るＨＭＤの文字入力画面を示す図である。
【発明を実施するための形態】
【０００９】
以下、図面を参照して本発明の実施の形態に係る入力装置についてＨＭＤを例に説明する。図１は、実施の形態に係るＨＭＤの外観を示す斜視図である。図１に示すように、ＨＭＤ２は音声を出力する二つのヘッドホン４，６を有し、これらは頭部固定部８により結合されている。ヘッドホン４，６にはそれぞれスピーカ３２，３４（図２参照）が収納されている。また、ヘッドホン６の外側にはディスプレイアーム１０が図示しない回転部を介して回転可能に設けられ、ディスプレイアーム１０の先端部には使用者の片眼に映像を入力することによって映像情報を使用者に提供する表示部１４が設けられている。
【００１０】
表示部１４の内部においては、画像や映像等の映像情報を電気的に表示するＬＣＤ１６の背面にバックライト３８（図２参照）が配置され、バックライト３８から射出された照明光を用いてＬＣＤ１６に表示された映像情報を照明する。ＬＣＤ１６に表示された映像情報は反射鏡１８により反射された後、接眼レンズ２０によりサイズが変更され使用者の眼に入力される。なお、図１においては表示部１４に表示する映像情報は使用者の左眼に入力される構成を示しているが、回転部を介してディスプレイアーム１０及び表示部１４を頭部固定部８に対して反対側に回転させた場合には、表示方向を切り替えた映像情報をＬＣＤ１６に表示する。
【００１１】
また、ヘッドホン４の外側には、使用者の操作入力を受け付ける操作部２２が設けられ、操作部２２はジョグダイヤル２３及び十字キー２４を備えている。
【００１２】
図２は、実施の形態に係るＨＭＤのシステム構成を示すブロック図である。ＨＭＤ２は、ＣＰＵ３０を備え、ＣＰＵ３０には、操作部２２、スピーカ３２，３４による音声の出力制御を行う音声出力制御部３６、表示部１４の内部に設けられたバックライト３８の制御を行うバックライトドライバ４０、ＬＣＤ１６に表示する映像の出力制御を行う表示制御部４２が接続されている。ここで、操作部２２は、ジョグダイヤル２３及び十字キー２４を構成する上ボタン２６、右ボタン２８、下ボタン３０、左ボタン３２を含む。
【００１３】
次に、図面を参照して実施の形態に係るＨＭＤの文字入力画面について説明する。図３に示すように使用者の頭部に表示部１４が右眼の前方に位置するようにＨＭＤ２が装着され図示しない電源スイッチをオンされると、ＣＰＵ３０が起動し表示部１４のＬＣＤ１６に表示した映像を使用者の右眼に入力することによって映像情報を提供する。ここで、使用者に提供される映像情報中に文字入力欄が含まれる場合に、使用者により文字入力欄の選択が行われると、図４に示すように文字入力画面５０を表示する。文字入力画面５０には、操作部２２を構成する各操作部材の機能の説明を表示する説明図５２と文字入力エリア５４が含まれる。
【００１４】
文字入力エリア５４は、かな、数字、英字等入力する文字の種類を選択する文字種選択欄５６、入力した文字を表示する入力文字表示欄５８、入力する文字の候補を表示する候補文字表示欄６０を備えている。図４においては文字種選択欄５６に全角かなを示す「あ」、全角カナを示す「ア」、全角英字を示す「Ａ」、全角数字を示す「１」、http:やwww.等ＵＲＬの入力の際に使用する定型文字列を示す「ＵＲＬ」、半角カナを示す「_ア」、半角数字を示す「_1」、半角記号を示す「＿記」が表示されている。また、文字種選択欄５６には現在選択されている文字の種類を囲うように枠６２を表示する。また、図４においては文字種選択欄５６の右側に現在選択されている文字種が全角かなであることを示す「かな入力」の表示が行われている例を示している。
【００１５】
候補文字表示欄６０においては、まず代表文字を表示し、代表文字が選択されると入力する候補文字を表示する。図４においては文字種選択欄５６において全角かなの入力が選択され、候補文字表示欄６０にはあ行、か行、さ行等のそれぞれの代表文字「あ」「か」「さ」等が表示されている例を示している。また、候補文字表示欄６０には現在選択している代表文字または候補文字を囲うように枠６４が表示される。
【００１６】
また、代表文字の「あ」を選択する操作が行われた場合には候補文字表示欄６０に候補文字として「あいうえおぁぃぅぇぉ」を表示し、代表文字の「か」を選択する操作が行われた場合には候補文字表示欄６０に候補文字として「かきくけこ」を表示する。候補文字表示欄６０に表示された候補文字のいずれかの入力指示が行なわれた場合には選択された文字を入力文字表示欄５８に表示する。
【００１７】
ここで、候補文字表示欄６０に「あ」「か」「さ」等の代表文字が表示されている状態においては、図４の説明図５２において「文字選択」と表示されているようにジョグダイヤル２３の操作により枠６４を移動し、選択している代表文字を変更することができる。また、説明図５２において「進む／入力」と表示されているように右ボタン２８の操作により枠６４が表示されている代表文字を選択する操作を行うことができる。また、説明図５２において「戻る／ＢＳ」と表示されているように左ボタン３２の操作により文字種選択欄５６に表示された文字の種類の選択に戻る。
【００１８】
また、候補文字表示欄６０に「あいうえおぁぃぅぇぉ」、「かきくけこ」等の候補文字が表示されている状態においては、図４の説明図５２において「文字選択」と表示されているようにジョグダイヤル２３の操作により枠６４が表示されている候補文字を変更することができる。また、説明図５２において「進む／入力」と表示されているように右ボタン２８の操作により枠６４が表示されている候補文字を入力することができる。また、説明図５２において「戻る／ＢＳ」と表示されているように左ボタン３２の操作により候補文字表示欄５８に表示する文字を代表文字に変更し代表文字の選択画面に戻る。
【００１９】
また、候補文字表示欄６０に代表文字及び候補文字が表示されている状態において上ボタン２６が操作されると文字の追加、文字の消去等を行うテキスト編集モードとなる。また、説明図５２において「変換」と表示されているように候補文字表示欄６０に代表文字及び候補文字が表示されている状態及びテキスト編集モードにおいて下ボタン３０が操作されると、かな文字から漢字への変換指示を行うことができる。
【００２０】
なお、表示制御部４２は使用者に対する操作部２２の位置と説明図５２の文字入力画面５０中での位置とを対応させて表示する。即ち、図３に示すように表示部１４により使用者の右眼に映像情報を入力する場合には、操作部２２は使用者の左側に位置する。従って、図４に示すように説明図５２を文字入力画面５０の左側に表示し、文字入力エリア５４を右側に表示する。
【００２１】
また、表示制御部４２は図４に示すように説明図５２には文字入力画面５０の左外側に傾けた状態のパースをつけて表示する。従って、説明図５２にパースをつけない場合に比べて操作部２２における操作方向と説明図５２の表示方向とを使用者の直感と一致させることができる。
【００２２】
本実施の形態に係るＨＭＤによれば、使用者が直感的に操作部における操作方向を認識することができ、使用者の操作性を向上させることができる。
【００２３】
なお、上述の実施の形態の図４においては説明図５２のパースを文字入力画面５０の左端方向につけているが、図５に示すように文字入力画面５０の中心方向へ説明図５２のパースをつけてもよい。ここで、図５の説明図５２においては使用者の前方向に位置する左ボタン３２に「戻る／ＢＳ」の機能を付与し、使用者の後方向に位置する右ボタン２８に「進む／入力」の機能を付与している。
【００２４】
また、図４及び図５においては、説明図５２のみにパースをつけた構成を説明したが、図６及び図７に示すように文字入力エリア５４及び説明図５２の両方にパースをつける構成としてもよい。図６においては文字入力エリア５４のパースを文字入力画面５０の右端方向につけ、説明図５２のパースを文字入力画面５０の左端方向へつける例を示し、図７においては文字入力エリア５４及び説明図５２のパースを文字入力画面５０の中心方向へつける例を示している。
【００２５】
また、上述の実施の形態においては、使用者の右眼に映像情報を提供する構成として説明したが、図９に示すように表示部１４により使用者の左眼に映像情報を提供してもよい。この場合には、操作部２２は使用者の右側に位置するため、表示制御部４２は図８に示すように説明図５２を文字入力画面５０の右側に表示し、文字入力エリア５４を文字入力画面５０の左側に表示する。また、図８においては説明図５２にのみ文字入力画面５０の右端方向へパースをつける構成としているが、表示制御部４２は文字入力画面５０の中心方向にパースをつけてもよい。また、文字入力エリア５４にもパースをつける構成としてもよい。
【００２６】
また、上述の実施の形態においては、ＨＭＤ２の左側または右側の何れか一方に操作部２２を設ける構成を説明したが、ＨＭＤ２の両側に操作部を設ける構成としてもよい。この場合には、表示制御部４２は図１０に示すように文字入力画面５０の中央に文字入力エリア５４を表示し、文字入力画面の左側及び右側のそれぞれにパースをつけた説明図５２を表示する。
【００２７】
次に、本発明の第２の実施の形態に係るＨＭＤについて説明する。この第２の実施の形態に係るＨＭＤの文字入力画面は、第１の実施の形態に係る文字入力画面の説明図５２の構成を変更したものである。従って、第１の実施の形態と同一の構成についての詳細な説明は省略し、異なる部分のみについて詳細に説明する。また、第１の実施の形態と同一の構成には同一の符号を付して説明する。
【００２８】
図１１は、第２の実施の形態に係る文字入力画面を示す図である。文字入力画面５０は文字入力エリア５４と説明図７０とを含む。表示制御部４２は、説明図７０としてＨＭＤ２を装着した頭部を外側から視た図を示す頭部画像７２を表示する。また、説明図の下側には頭部画像７２に表示された右ボタン２８及び左ボタン３２の配置に合わせてそれぞれのボタンに付与された機能を表示する。即ち、表示制御部４２は右ボタン２８に付与された機能を示す「入力／進む」の表示を説明図７０の右下に、左ボタン３２に付与された機能を示す「ＢＳ／戻る」の表示を説明図７０の左下にそれぞれ行う。また、表示制御部４２は、頭部画像７２に文字入力画面５０の左端方向へパースをつけた表示を行っている。
【００２９】
第２の実施の形態に係るＨＤＭによれば、使用者が直感的に操作部における操作方向を認識することができ、かつ操作性が向上する。
【００３０】
なお、上述の第２の実施の形態においては、ＨＭＤ２を装着した頭部を外側から視た頭部画像７２を用いる構成としたが、表示制御部４２は図１２に示すようにＨＭＤ２を装着した頭部を内側から透視した透視画像７４を用いる構成としてもよい。また、図１２の説明図７０の下側には透視画像７４に表示された右ボタン２８及び左ボタン３２の配置に合わせてそれぞれのボタンに付与された機能を表示する。即ち、表示制御部４２は、右ボタン２８に付与された機能を示す「進む／入力」の表示を説明図７０の左下に、左ボタン３２の機能を示す「戻る／ＢＳ」の表示を説明図７０の右下にそれぞれ行う。
【００３１】
また、図１３に示すように図１１における頭部画像７２を小さく表示し、操作部２２を示す操作部画像７８を表示する構成としてもよい。この場合には、使用者にとって操作部の画像をより認識し易く表示することができる。
【００３２】
また、図１４に示すように図１２における透視画像７４を小さく表示し、操作部２２を示す操作部画像８０を表示する構成としてもよい。なお、図１４においては、操作部画像８０を内側から視た場合のものとして表示している。即ち、右ボタン２８に付与された機能を示す「進む／入力」の表示を説明図７０の左下に、左ボタン３２の機能を示す「戻る／ＢＳ」の表示を説明図７０の右下にそれぞれ行う。
【００３３】
次に、本発明の第３の実施の形態に係るＨＭＤについて説明する。この第３の実施の形態に係るＨＭＤは操作部２２にタッチセンサを付加したものである。従って、第１の実施の形態と同一の構成についての詳細な説明は省略し、異なる部分のみについて詳細に説明する。また、第１の実施の形態と同一の構成には同一の符号を付して説明する。
【００３４】
操作部２２にはタッチセンサが積層して配置されている。図３に示すようにＨＭＤ２が使用者の頭部に表示部１４が右眼の前方に位置するように装着され図示しない電源スイッチをオンにすると、ＣＰＵ３０が起動し表示部１４のＬＣＤ１６に表示した映像を使用者の右眼に入力することによって映像情報を提供する。例えば、使用者に提供される映像情報中に文字入力欄が含まれる場合に、使用者により文字入力欄の選択が行われると、文字入力画面５０を表示する。文字入力画面５０は、頭部画像７２と入力した文字列及び候補文字等を表示する文字入力エリア５４とを含む。
【００３５】
ここで、操作部２２のタッチセンサにより使用者の操作部２２に対する接触を検出してない場合には図１５（ａ）に示すように、表示制御部４２は頭部画像７２にパースをつけずに表示する。一方、タッチセンサにより使用者の操作部２２に対する接触を検出した場合には、図１５（ｂ）に示すように表示制御部４２は頭部画像７２にパースをつけて表示する。
【００３６】
なお、図１５（ａ）と図１５（ｂ）との間の画像の変化はアニメーションとして行う。即ち、表示制御部４２は頭部画像７２を連続的に回転することにより頭部画像７２に対してパースをつける処理を行い、また、パースを解除する処理を行う。
【００３７】
第３の実施の形態に係るＨＭＤによれば、使用者が直感的に操作部における操作方向を認識することができる。また、使用者が操作部に触れているか否かを表示部における表示により認識することができる。
【００３８】
なお、上述の第３の実施の形態においては、タッチセンサを用いる構成を説明したが、近接センサを用いる構成としてもよい。
【００３９】
また、上述の各実施の形態においては、文字入力画面５０において少なくとも説明図にパースをつけて表示を行う構成を説明したが、文字入力画面５０に限らず使用者が情報を入力する画面であればどのような画面でもよい。例えば、動画再生中において所定の操作が行われると、説明図として操作部を示す画像にパースをつけて表示し、再生、停止、早送り等の機能の説明を各操作部材に対して表示する。
【００４０】
また、上述の各実施の形態において、表示部１４を備えるＨＭＤとして説明したが、ディスプレイアーム１０及び表示部１４を省略した入力装置としてもよい。この場合には、無線または有線を介してテレビやＰＣ等の外部表示装置に文字入力画面を表示し、使用者は入力装置の操作部２２を用いて外部表示装置に表示された映像を参照して操作を行うことができる。
【００４１】
また、上述の各実施の形態においては、熟練度に応じて文字入力画面５０において説明図が占める割合を減少させてもよい。この場合には、使用者が文字を入力した入力回数及び文字を入力する際の入力速度に基づいて熟練度を判断する。ここで、入力速度として例えば、候補文字表示欄６０において代表文字の選択を開始してから文字を入力するまでの速度を用いる。また、入力回数が少ない間は入力速度が速い場合にのみ文字入力画面５０における説明図が占める割合を減少させ、入力回数が多くなるに従って説明図が占める割合を減少させる閾値である入力速度を遅くするように設定してもよい。また、熟練度に応じて説明図を非表示としてもよい。
【００４２】
また、上述の各実施の形態においては、右ボタン２８に「入力／進む」の機能を付与し、左ボタン３２に「戻る／ＢＳ」の機能を付与する構成として説明したが、左ボタン３２に「入力／進む」の機能を付与し、右ボタン２８に「戻る／ＢＳ」の機能を付与する構成としてもよい。
【符号の説明】
【００４３】
２…ＨＭＤ、１４…表示部、２２…操作部、３０…ＣＰＵ、４２…表示制御部、５０…文字入力画面、５２…説明図、５４…文字入力エリア、５８…入力文字表示欄、６０…候補文字表示欄
【図１】
2012068777.tif 000003
【図２】
2012068777.tif 000004
【図３】
2012068777.tif 000005
【図４】
2012068777.tif 000006
【図５】
2012068777.tif 000007
【図６】
2012068777.tif 000008
【図７】
2012068777.tif 000009
【図８】
2012068777.tif 000010
【図９】
2012068777.tif 000011
【図１０】
2012068777.tif 000012
【図１１】
2012068777.tif 000013
【図１２】
2012068777.tif 000014
【図１３】
2012068777.tif 000015
【図１４】
2012068777.tif 000016
【図１５】
2012068777.tif 000017